(57)【特許請求の範囲】
【請求項１】
水面に浮かんでいるシート状の油吸着マット上に自在に形を変えて載置することができ、当該油吸着マットの所定部位がめくれないように押さえる油吸着マット押さえ具であって、
複数の棒状の錘体と、
当該錘体の端部を回動自在に連結する関節部とを備え、
前記錘体は、前記関節部によって環状に連結され、前記回動自在に連結されている個所のうち、１箇所が着脱自在に構成されることを特徴とする油吸着マット押さえ具。
【請求項２】
複数の前記錘体によって正方形が形成可能であることを特徴とする請求項１記載の油吸着マット押さえ具。
【請求項３】
前記錘体は、水面に浮かぶことを特徴とする請求項１又は２記載の油吸着マット押さえ具。
【発明の詳細な説明】
【技術分野】
【０００１】
本発明は、水面に浮かんだ油を吸着、回収するための油吸着マット上に載せられる油吸着マット押さえ具に関する。
【背景技術】
【０００２】
従来、水面に浮かんだ油を回収する際に、環状のオイルフェンスを水面に浮かべ、オイルフェンスの外側に油が拡散しないようにすることが行われている。しかし、オイルフェンスは、側溝のような比較的狭い範囲の水面に浮かぶ油を回収するために用いるには適さない。
【０００３】
そこで、従来、特許文献１に記載された技術が提案されている。特許文献１によれば、綿、カポック繊維及び熱溶融繊維が混合された油吸収シート本体と、該油吸収シート本体の両面に接着される不織布シートとを有し、油吸収シート本体及び不織布シートを接着用の熱溶融繊維で接着してなる油吸収シートを用い、この油吸収シート、水面に浮かべて、水面の油を吸着、回収することについて開示されている。
【先行技術文献】
【特許文献】
【０００４】
【特許文献１】特開２００７−７７７１８号公報
【発明の概要】
【発明が解決しようとする課題】
【０００５】
ところで、側溝内の水面に浮かんだ油を吸収するために場合には、油が浮かんでいるエリアの他に、油が浮かんでいるエリアを囲むようにシート状の油吸着マットを浮かべて、油が拡散を防止することが行われる。
【０００６】
しかし、この場合、シート状の油吸着マットを水面に浮かべた時に、シート状の油吸着マットの端部が側溝の壁面に当接して、めくり上がることがある。油吸着マットがめくり上がると、側溝の壁面近傍の水面に油吸着マットがないために、壁面近傍の油が回収できないばかりではなく、油が側溝の壁面近傍を通って、油吸着マットで囲まれているエリア外に拡散するおそれがある。
【０００７】
本発明は、このような問題点を解決し、油吸着マットによって側溝の壁面近傍の油を確実に回収させることを実現した油吸着マット押さえ具を提供することを目的とする。
【課題を解決するための手段】
【０００８】
前記目的を達成するため、本発明は、次に記載する構成を備えている。
【０００９】
（１）  水面に浮かんでいるシート状の油吸着マット上に載置され、当該油吸着マットの所定部位がめくれないように押さえる油吸着マット押さえ具であって、複数の棒状の錘体と、当該錘体の端部を連結する関節部とを備え、前記錘体は、前記関節部によって環状に連結されていることを特徴とする油吸着マット押さえ具。
【００１０】
（１）によれば、関節部を屈曲させることによって環の形状を自在に変えることができるため、油吸着マットの形状あるいは油吸着マットを浮かべる箇所に応じた形状にすることが可能になる。このため、油吸着マットの外周部や側溝の壁面の近傍に錘体を配置することが可能になり、油吸着マットと側溝の壁面との隙間が小さくすることが可能になる。しかも、油吸着マットの端部が側溝の壁面に接触しても大きくめくり上がることが防止される。これにより、側溝の壁面付近の油膜を確実に回収できるとともに、油膜の拡散を防止することができる。
【００１１】
（２）  （１）において、複数の前記錘体によって正方形が形成可能であることを特徴とする油吸着マット押さえ具。
【００１２】
（３）  （１）、（２）において、前記錘体は、水面に浮かぶことを特徴とする油吸着マット押さえ具。
【発明の効果】
【００１３】
本発明によれば、油吸着マットの端部が側溝の壁面に接触してめくり上がることが防止され、側溝の壁面付近の油膜を確実に回収できるとともに、油膜の拡散を防止することができる。
【図面の簡単な説明】
【００１４】
【図１】本発明の一実施形態における油吸着マット押さえ具１の構成を示す説明図である。
【図２】本発明の一実施形態における油吸着マット押さえ具１を変形させた例を示す説明図である。
【図３】本発明の一実施形態における油吸着マット押さえ具１の配置例を示す説明図である。
【図４】本発明の一実施形態における油吸着マット押さえ具１の他構成を示す説明図である。
【発明を実施するための形態】
【００１５】
以下、本発明の一実施形態について、図面を参照しながら詳細に説明する。
図１は、本発明の一実施形態における油吸着マット押さえ具１の構成を示す説明図である。
【００１６】
油吸着マット押さえ具１は、複数の錘体１０と、関節部２０とによって構成されている。本実施形態によれば、１２本の錘体１０が使用されている。
【００１７】
錘体１０は、長手方向の両端部が円弧状に形成された帯板からなる棒状部材であり、この棒状部材の両端部に孔部１０ａが形成されている。本実施形態においては、錘体１０の幅が３ｃｍで、両端部の孔部１０ａ、１０ａ間の長さが２０ｃｍに設定されている。錘体１０としては、例えば、金属板、プラスチックのような水に浮かない部材であっても、木材、発泡部材、中空の樹脂成形部材のような水に浮く部材であっても適用可能である。特に、表面に油が付着しにくくするような処理が施されていることが望ましい。
【００１８】
関節部２０は、錘体１０の端部同士を、回動軸２０ａによって回動自在に連結ことによって構成されている。
【００１９】
そして、隣合う錘体１０、１０の孔部１０ａが一致するように錘体１０の端部を重ね合わせ、回動軸２０ａによって連結する。この作業を繰り返して１２本の錘体１０を交互に連結し、最後に１本目の錘体１０の端部と１２本目の錘体１０の端部とを連結して環状にすることによって、油吸着マット押さえ具１が完成する。
【００２０】
ここで、本実施形態の油吸着マット押さえ具１によれば、複数の関節部２０において、一箇所のみ回動軸２０ａが着脱自在に構成されている。これにより、例えば、油吸着マット押さえ具１を保管しておく場合に、着脱自在の回動軸２０ａを取り外すことによって、錘体１０を交互に折り畳んだ状態で収納しておくことが可能にあり、収納スペースを小さくすることができる。また、複数の油吸着マット押さえ具１を組み合わせて大きな環を形成することも可能になる。
【００２１】
油吸着マット押さえ具１は、１２ヶ所の関節部において屈曲させることにより、自在に形状を変えることが可能である。例えば、図１に示すように、３本の錘体１０を直線状にして、縦横６０ｃｍの正方形に形作ることができる。また、図２（ａ）、図２（ｂ）に示すように、縦横６０ｃｍの正方形の対角線に配置できるように変形させたり、三角形に変形させたりすることも可能である。更に、関節部２０を環の中心側に屈曲させることによって小型サイズの環を形成することが可能になる。このように、本実施形態の油吸着マット押さえ具１は、油吸着マット１００の形状や、側溝の幅等に応じて適宜形状を変えることが可能である。
【００２２】
また、油吸着マット押さえ具１の重さは、油吸着マット１００の沈み込みを考慮して２００ｇに設定されている。なお、錘体１０が単体で浮く部材ならなる場合には、錘体１０は、錘体１０の底部が所定量水中に沈む程度の重さを有していることが望ましい。また、錘体１０が単体で水中に沈む部材ならなる場合には、油吸着マット押さえ具１が油吸着マット１００上に載置された場合に、油吸着マット１００が油吸着マット押さえ具１とともに沈むことなく、油吸着マット１００の浮力によって油吸着マット押さえ具１が油吸着マット１００上に載置された状態で維持される程度の重さであることが望ましい。
【００２３】
上述したように構成された本実施形態の油吸着マット押さえ具１によれば、例えば、６５ｃｍ四方の正方形の油吸着マット１００上に載置することが可能になる。また、油吸着マット押さえ具１は、自在に形を変えることができるため、油吸着マット１００を設置する箇所に応じた形状にすることが可能になる。このため、図３に示すように油吸着マット１００の外周部分、あるいは側溝の壁面の近傍に錘体１０を配置することが可能になり、油吸着マット１００と側溝の壁面との隙間が小さくすることが可能になる。しかも、油吸着マット１００の端部が側溝の壁面に接触しても大きくめくり上がることが防止される。これにより、側溝の壁面付近の油膜を確実に回収できるとともに、油膜の拡散を防止することができる。
【００２４】
更に、６５ｃｍ四方の正方形の油吸着マット１００の上に本実施形態の油吸着マット押さえ具１を載置した場合に、油吸着マット１００の外周部分が油吸着マット押さえ具１によって押さえられるため、油吸着マット１００の外周部分が側溝の壁面に当接しても、油吸着マット１００のめくり上がりを小さく抑えることが可能になる。更に、風によって油吸着マット１００がめくれ上がることを低減することが可能になる。
【００２５】
また、油吸着マット押さえ具１は、当該油吸着マット押さえ具１が油吸着マット１００に載置された場合に油吸着マット押さえ具１の部分が所定量沈むような重さを備えていることにより、水面上において油吸着マット１００を安定して押さえることが可能になる。
【００２６】
また、錘体１０が水に浮くことができる場合には、例えば、水面揺れて油吸着マット押さえ具１が油吸着マット１００から落下したとしても水没することがなくなり、油吸着マット押さえ具１の回収が容易になる。
【００２７】
以上、本発明の実施形態について説明したが、本発明の実施形態は上述した実施形態に限るものではない。例えば、上述した油吸着マット押さえ具１は、１２本の錘体１０を円環状にしたものであるが、錘体１０の数は、１２本に限るものではなく、環状に形成できるのであれば、それより多くても少なくてもよい。
【００２８】
また、上述した油吸着マット押さえ具１によれば、関節部２０に回動軸２０ａを用いているが、錘体１０の両端部が回動自在に連結されるのであれば、特に関節部２０の構成は問わない。例えば、錘体１０の両端部にマグネットを配置し、磁力によって錘体１０を連結してもよい。また、図４に示すように、関節部２０を針金３０のような屈曲自在な部材によって構成してもよい。これにより、油吸着マット押さえ具１をコンパクトに折り畳むことが可能になり、収納スペースを小さくすることが可能になる。なお、複数の錘体１０に中心軸に沿った貫通孔を形成し、この貫通孔に長尺の針金３０を通すことによって複数の錘体１０を針金３０上に並べ、針金３０の両端部を連結することによって。図４に示すような環状に形成してもよい。
【００２９】
また、錘体１０の表面に孔部を形成し、錘体１０が水面に浮く部材の場合には、錘体１０の孔部に更なる錘を設置し、錘体１０が水中に沈む部材の場合には、錘体１０の孔部に水に浮く部材を設置するように構成してもよい。
【符号の説明】
【００３０】
１    油吸着マット押さえ具
１０  錘体
１０ａ  孔部
２０  関節部
２０ａ  回動軸
【図１】
0005941074.tif 000002
【図２】
0005941074.tif 000003
【図３】
0005941074.tif 000004
【図４】
0005941074.tif 000005